【手続補正書】
【提出日】平成22年4月2日(2010.4.2)
【手続補正１】
【補正対象書類名】特許請求の範囲
【補正対象項目名】全文
【補正方法】変更
【補正の内容】
【特許請求の範囲】
【請求項１】
ＤＣバランスエンコーディングされたデータを伝送する方法において、
所定のロジック値を有する少なくとも一つのビットであるが、前記ＤＣバランスエンコーディングされたデータで前記所定のロジック値を有するビットの最大数未満である前記所定のロジック値を有する中間数のビットを提供するように構成されるダミーデータであるプリアンブルを伝送する段階と、
前記ＤＣバランスエンコーディングされたデータを伝送する段階と
を備えることを特徴とするＤＣバランスエンコーディングされたデータを伝送する方法。 
【請求項２】
前記ＤＣバランスエンコーディングされたデータを伝送する方法は、
前記ダミーデータであるプリアンブルを伝送する段階以前に、前記所定のロジック値を有する中間数のビットを提供するように構成される前記ダミーデータであるプリアンブルを発生させる段階と、
前記ＤＣバランスエンコーディングされたデータを伝送する段階以前に、前記データをＤＣバランスエンコーディングする段階と
をさらに備えることを特徴とする請求項１に記載のＤＣバランスエンコーディングされたデータを伝送する方法。 
【請求項３】
前記所定のロジック値を有する中間数のビットを提供するように構成されるダミーデータである前記プリアンブルは、
前記ＤＣバランスエンコーディングされたデータの最初のワードで前記所定のロジック値を有するビット数に対し独立的な前記所定のロジック値を有する固定された中間数のビットを提供するように構成されるダミーデータである固定されたプリアンブルを備えることを特徴とする請求項１に記載のＤＣバランスエンコーディングされたデータを伝送する方法。 
【請求項４】
前記所定のロジック値を有する中間数のビットを提供するように構成されるダミーデータである前記プリアンブルは、
前記ＤＣバランスエンコーディングされたデータの最初のワードで前記所定のロジック値を有するビット数に左右される前記所定のロジック値を有する可変中間数のビットを提供するように構成されるダミーデータである可変プリアンブルを備えることを特徴とする請求項１に記載のＤＣバランスエンコーディングされたデータを伝送する方法。 
【請求項５】
前記所定のロジック値を有する中間数のビットは、
前記ＤＣバランスエンコーディングされたデータで前記所定のロジック値を有するビットの最大数の２分の１であることを特徴とする請求項１に記載のＤＣバランスエンコーディングされたデータを伝送する方法。 
【請求項６】
前記ＤＣバランスエンコーディングされたデータは、
８Ｂ／１０Ｂ  ＤＣバランスエンコーディングされたデータであり、
前記所定のロジック値を有する中間数のビットは少なくとも１ビットであるが、６ビット未満であることを特徴とする請求項１に記載のＤＣバランスエンコーディングされたデータを伝送する方法。 
【請求項７】
前記ＤＣバランスエンコーディングされたデータは、
８Ｂ／１０Ｂ  ＤＣバランスエンコーディングされたデータであり、
前記所定のロジック値を有する中間数のビットは３ビットであることを特徴とする請求項１に記載のＤＣバランスエンコーディングされたデータを伝送する方法。 
【請求項８】
ダミーデータであるプリアンブルを伝送する段階は、
ダミーデータである単一プリアンブルワードを伝送する段階を備えることを特徴とする請求項１に記載のＤＣバランスエンコーディングされたデータを伝送する方法。 
【請求項９】
ダミーデータであるプリアンブルを伝送する段階は、
ダミーデータである複数のプリアンブルワードを直列に伝送する段階を備えることを特徴とする請求項１に記載のＤＣバランスエンコーディングされたデータを伝送する方法。
【請求項１０】
ダミーデータである複数のプリアンブルワードは、ダミーデータである第１プリアンブルワードと前記第１プリアンブルワードよりさらに多い前記所定のロジック値を有するビットを有するダミーデータである第２プリアンブルワードとを備えることを特徴とする請求項９に記載のＤＣバランスエンコーディングされたデータを伝送する方法。 
【請求項１１】
ダミーデータである前記第１プリアンブルワードは、
前記ＤＣバランスエンコーディングされたデータの最初のワードで前記所定のロジック値を有するビット数に対し独立的な前記所定のロジック値を有する固定された中間数のビットを提供するように構成されるダミーデータである固定された第１プリアンブルワードを備え、
ダミーデータである前記第２プリアンブルワードは、
前記ＤＣバランスエンコーディングされたデータの前記最初のワードで前記所定のロジック値を有するビット数に対し独立的な前記所定のロジック値を有する固定された中間数のビットを提供するように構成されるダミーデータである固定された第２プリアンブルワードを備えることを特徴とする請求項１０に記載のＤＣバランスエンコーディングされたデータを伝送する方法。 
【請求項１２】
ダミーデータである前記第１プリアンブルワードは、
前記ＤＣバランスエンコーディングされたデータの最初のワードで前記所定のロジック値を有するビット数に左右される前記所定のロジック値を有する可変中間数のビットを提供するように構成されるダミーデータである可変第１プリアンブルワードを備え、
ダミーデータである前記第２プリアンブルワードは、
前記ＤＣバランスエンコーディングされたデータの最初のワードで前記所定のロジック値を有するビット数に左右される前記所定のロジック値を有する可変中間数のビットを提供するように構成されるダミーデータである可変第２プリアンブルワードを備えることを特徴とする請求項１０に記載のＤＣバランスエンコーディングされたデータを伝送する方法。 
【請求項１３】
前記ＤＣバランスエンコーディングされたデータは、
８Ｂ／１０Ｂ  ＤＣバランスエンコーディングされたデータであり、
前記第１プリアンブルワードは前記所定のロジック値を有する２ビットを備え、前記第２プリアンブルワードは前記所定のロジック値を有する４ビットを備えることを特徴とする請求項１０に記載のＤＣバランスエンコーディングされたデータを伝送する方法。 
【請求項１４】
ダミーデータである前記プリアンブル及び前記ＤＣバランスエンコーディングされたデータを受信する段階と、
前記ダミーデータを除去する段階と、
受信された前記ＤＣバランスエンコーディングされたデータをデコーディングする段階と
をさらに備えることを特徴とする請求項１に記載のＤＣバランスエンコーディングされたデータを伝送する方法。 
【請求項１５】
ＤＣバランスエンコーディングされたデータによる同時スイッチングノイズ（Ｓｉｍｕｌｔａｎｅｏｕｓ  Ｓｗｉｔｃｈｉｎｇ  Ｎｏｉｓｅ、以下、ＳＳＮと称する）を低減する方法において、
ＤＣバランスエンコーディングされたデータを伝送する前に、ゼロ（ｚｅｒｏ）ＳＳＮよりは大きいが、前記ＤＣバランスエンコーディングされたデータによって生成された最大ＳＳＮ未満である中間レベルのＳＳＮを生成するように構成されるプリアンブルを伝送する段階を備えることを特徴とするＤＣバランスエンコーディングされたデータに起因したＳＳＮを低減する方法。 
【請求項１６】
前記中間レベルのＳＳＮを生成するように構成される前記プリアンブルは、
前記ＤＣバランスエンコーディングされたデータの最初のワードの内容に対し独立的な固定された中間レベルのＳＳＮを生成するように構成される固定されたプリアンブルを備えることを特徴とする請求項１５に記載のＤＣバランスエンコーディングされたデータに起因したＳＳＮを低減する方法。 
【請求項１７】
前記中間レベルのＳＳＮを生成するように構成される前記プリアンブルは、
前記ＤＣバランスエンコーディングされたデータの最初のワードの内容に左右される可変中間レベルのＳＳＮを生成するように構成される可変プリアンブルを備えることを特徴とする請求項１５に記載のＤＣバランスエンコーディングされたデータに起因したＳＳＮを低減する方法。 
【請求項１８】
プリアンブルを伝送する段階は、
単一プリアンブルワードを伝送する段階を備えることを特徴とする請求項１５に記載のＤＣバランスエンコーディングされたデータに起因したＳＳＮを低減する方法。 
【請求項１９】
プリアンブルを伝送する段階は、
複数のプリアンブルワードを順次に伝送する段階を備えることを特徴とする請求項１５に記載のＤＣバランスエンコーディングされたデータに起因したＳＳＮを低減する方法。
【請求項２０】
前記複数のプリアンブルワードは、
ダミーデータである第１プリアンブルワード及び第２プリアンブルワードを備えることを特徴とする請求項１９に記載のＤＣバランスエンコーディングされたデータに起因したＳＳＮを低減する方法。 
【請求項２１】
前記第１プリアンブルワードは、
前記ＤＣバランスエンコーディングされたデータの最初のワードの内容に対し独立的な固定された中間レベルのＳＳＮを生成するように構成される固定された第１プリアンブルワードを備え、
前記第２プリアンブルワードは、
前記ＤＣバランスエンコーディングされたデータの前記最初のワードの内容に対し独立的な固定された中間レベルのＳＳＮを生成するように構成される固定された第２プリアンブルワードを備えることを特徴とする請求項２０に記載のＤＣバランスエンコーディングされたデータに起因したＳＳＮを低減する方法。 
【請求項２２】
前記第１プリアンブルワードは、
前記ＤＣバランスエンコーディングされたデータの最初のワードの内容に左右される可変中間レベルのＳＳＮを生成するように構成される可変第１プリアンブルワードを備え、  前記第２プリアンブルワードは、
前記ＤＣバランスエンコーディングされたデータの最初のワードの内容に左右される可変中間レベルのＳＳＮを生成するように構成される可変第２プリアンブルワードを備えることを特徴とする請求項２０に記載のＤＣバランスエンコーディングされたデータに起因したＳＳＮを低減する方法。 
【請求項２３】
前記ＤＣバランスエンコーディングされたデータに起因したＳＳＮを低減する方法は、  前記プリアンブル及び前記ＤＣバランスエンコーディングされたデータを受信する段階と、
前記プリアンブルを除去する段階と、
前記受信されたＤＣバランスエンコーディングされたデータをデコーディングする段階と
をさらに備えることを特徴とする請求項１５に記載のＤＣバランスエンコーディングされたデータに起因したＳＳＮを低減する方法。 
【請求項２４】
データをＤＣバランスエンコーディングされたデータにエンコーディングするように構成されるデータエンコーディング部と、
所定のロジック値を有する少なくとも一つのビットであるが、前記ＤＣバランスエンコーディングされたデータで前記所定のロジック値を有するビットの最大数未満である前記所定のロジック値を有する中間数のビットを提供するように構成されるダミーデータであるプリアンブルを発生させるプリアンブルコード発生器と、
前記データエンコーディング部及び前記プリアンブルコード発生器に応答して、ダミーデータである前記プリアンブルに後続して前記ＤＣバランスエンコーディングされたデータを提供するように構成されるマルチプレクサと、
前記マルチプレクサに応答して、ダミーデータである前記プリアンブルに後続して前記  ＤＣバランスエンコーディングされたデータを伝送するように構成される出力ドライバーと
を備えることを特徴とするデータ送信器。 
【請求項２５】
前記所定のロジック値を有する中間数のビットを提供するように構成されるダミーデータである前記プリアンブルは、
前記ＤＣバランスエンコーディングされたデータの最初のワードで前記所定のロジック値を有するビット数に対し独立的な前記所定のロジック値を有する固定された中間数のビットを提供するように構成されるダミーデータである固定されたプリアンブルを備えることを特徴とする請求項２４に記載のデータ送信器。 
【請求項２６】
前記所定のロジック値を有する中間数のビットを提供するように構成されるダミーデータである前記プリアンブルは、
前記ＤＣバランスエンコーディングされたデータの最初のワードで前記所定のロジック値を有するビット数に左右される前記所定のロジック値を有する可変中間数のビットを提供するように構成されるダミーデータである可変プリアンブルを備えることを特徴とする請求項２４に記載のデータ送信器。 
【請求項２７】
前記所定のロジック値を有する中間数のビットは、
前記ＤＣバランスエンコーディングされたデータ内の前記所定のロジック値を有するビットの最大数の２分の１であることを特徴とする請求項２４に記載のデータ送信器。 
【請求項２８】
前記ＤＣバランスエンコーディングされたデータは、
８Ｂ／１０Ｂ  ＤＣバランスエンコーディングされたデータであり、前記所定のロジック値を有する中間数のビットは少なくとも前記所定のロジック値を有する少なくとも１ビットであるが、６ビット未満であることを特徴とする請求項２４に記載のデータ送信器。
【請求項２９】
前記ＤＣバランスエンコーディングされたデータは、
８Ｂ／１０Ｂ  ＤＣバランスエンコーディングされたデータであり、
前記所定のロジック値を有する中間数のビットは３ビットであることを特徴とする請求項２４に記載のデータ送信器。 
【請求項３０】
前記プリアンブルコード発生器は、
ダミーデータである単一プリアンブルワードを発生させるように構成されることを特徴とする請求項２４に記載のデータ送信器。 
【請求項３１】
前記プリアンブルコード発生器は、
ダミーデータである複数のプリアンブルワードを発生させるように構成されることを特徴とする請求項２４に記載のデータ送信器。 
【請求項３２】
ダミーデータである前記複数のプリアンブルワードは、
ダミーデータである第１プリアンブルワードと前記第１プリアンブルワードよりさらに多い前記所定のロジック値を有するビットを有するダミーデータである第２プリアンブルワードとを備えることを特徴とする請求項３１に記載のデータ送信器。 
【請求項３３】
ダミーデータである前記第１プリアンブルワードは、
前記ＤＣバランスエンコーディングされたデータの最初のワードで前記所定のロジック値を有するビット数に対し独立的な前記所定のロジック値を有する固定された中間数のビットを提供するように構成されるダミーデータである固定された第１プリアンブルワードを備え、
ダミーデータである前記第２プリアンブルワードは、
前記ＤＣバランスエンコーディングされたデータの前記最初のワードで前記所定のロジック値を有するビット数に対し独立的な前記所定のロジック値を有する固定された中間数のビットを提供するように構成されるダミーデータである固定された第２プリアンブルワードを備えることを特徴とする請求項３２に記載のデータ送信器。 
【請求項３４】
ダミーデータである前記第１プリアンブルワードは、
前記ＤＣバランスエンコーディングされたデータの最初のワードで前記所定のロジック値を有するビット数に左右される前記所定のロジック値を有する可変中間数のビットを提供するように構成されるダミーデータである可変第１プリアンブルワードを備え、
ダミーデータである前記第２プリアンブルワードは、
前記ＤＣバランスエンコーディングされたデータの最初のワードで前記所定のロジック値を有するビット数に左右される前記所定のロジック値を有する可変中間数のビットを提供するように構成されるダミーデータである可変第２プリアンブルワードを備えることを特徴とする請求項３２に記載のデータ送信器。 
【請求項３５】
前記ＤＣバランスエンコーディングされたデータは、
８Ｂ／１０Ｂ  ＤＣバランスエンコーディングされたデータであり、
前記第１プリアンブルワードは前記所定のロジック値を有する２ビットを備え、前記第２プリアンブルワードは前記所定のロジック値を有する４ビットを備えることを特徴とする請求項３４に記載のデータ送信器。 
【請求項３６】
請求項２４によるデータ送信器と、
前記データ送信器と結合して、ダミーデータであるプリアンブルに後続するＤＣバランスエンコーディングされたデータを含むデータを受信して、デコードするように構成されるデータ受信器を備えることを特徴とする双方向ＤＣバランスエンコーディングされたデータ送信器及び受信器。 
【請求項３７】
前記データ受信器は、
ダミーデータである前記プリアンブルに後続するＤＣバランスエンコーディングされたデータを含む前記データを受信し、前記ダミーデータを検出して除去するように構成されるデータ入力バッファと、
前記データ入力バッファによって受信された前記ＤＣバランスエンコーディングされたデータをデコーディングするように構成されるデコーディング部と
を備えることを特徴とする請求項３６に記載の双方向ＤＣバランスエンコーディングされたデータ送信器及び受信器。 
【請求項３８】
前記データ入力バッファは、
前記ダミーデータを検出するように構成されるプリアンブルコード検出器と、
前記ダミーデータを選択的に除去し、前記ＤＣバランスエンコーディングされたデータを選択的に前記デコーディング部に提供するように構成されるデマルチプレクサと
を備えることを特徴とする請求項３７に記載の双方向ＤＣバランスエンコーディングされたデータ送信器及び受信器。 
【請求項３９】
前記データ受信器は、
電源電圧と連結された終端抵抗を含み、前記所定のロジック値を有するビットは０であることを特徴とする請求項３６に記載の双方向ＤＣバランスエンコーディングされたデータ送信器及び受信器。 
【請求項４０】
前記データ受信器は、
グラウンド電圧に連結された終端抵抗を含み、前記所定のロジック値を有するビットは１であることを特徴とする請求項３６に記載の双方向ＤＣバランスエンコーディングされたデータ送信器及び受信器。